(57)【要約】【課題】ゴミ捕集かごへの装着が容易になるとともに、ほとんど手を汚さずに装着可能な台所用水切り袋を提供する。【解決手段】筒形状を有する自立可能な容器本体１１と、容器本体１１の下側開口部を塞ぐ不織布製の底部１２とを備えているので、例えばゴミ捕集かご１３への装着時、従来の袋タイプのように開口側の端部を外折りすることなく、単にゴミ捕集かご１３の底板の上に立てるだけで、着脱自在に装着することができる。これにより、ゴミ捕集かご１３への装着が容易になり、その作業時にほとんど手を汚すことがない。【選択図】        図１
2005015179.tif 000002
【特許請求の範囲】
【請求項１】
筒形状を有する自立可能な容器本体と、
該容器本体の下側開口部を塞ぐ不織布からなる底部とを備えた台所用使い捨て水切り容器。
【請求項２】
上記容器本体に、多数の水切り孔を形成した請求項１記載の台所用使い捨て水切り容器。
【請求項３】
上記容器本体の上側周縁部に、つばを形成した請求項１または請求項２記載の台所用使い捨て水切り容器。
【請求項４】
上記底部は、上記容器本体の下周縁から、該容器本体の上側開口部の方向に離反した位置に形成された請求項１〜請求項３のうち、何れか１項に記載の台所用使い捨て水切り容器。
【請求項５】
上記容器本体に、軸線方向に向かった折り目を形成し、折り畳み自在とした請求項１〜請求項４のうち、何れか１項に記載の台所用使い捨て水切り容器。
【発明の詳細な説明】
【０００１】
【発明の属する技術分野】
この発明は台所用使い捨て水切り容器、詳しくは流し台の排水口内などに装着される有底円筒形のゴミ捕集かご、または、流し台のシンク内に置かれている水切り用の三角コーナーなどに着脱自在に装着し、生ごみの捕集後、生ごみと一緒に廃棄可能な使い捨てタイプの台所用使い捨て水切り容器に関する。
【０００２】
【従来の技術】
従来、排水口のゴミ捕集かごの内周面に装着し、排水口に流れ込んだごみを捕集する使い捨ての台所用水切り袋が知られている。台所用水切り袋は、柔軟なシート素材により形成されている。
台所用水切り袋の使用時には、まず台所用水切り袋の開口部を広げる。次に、台所用水切り袋をゴミ捕集かご内に挿入した後、台所用水切り袋の開口側の端部をかごの外側に折り返して装着する。
【０００３】
このように、従来の台所用水切り袋にあっては、ゴミ捕集かごに装着する際、開口側の端部をかごの外側に折り返す必要がある。そのため、手間がかかるとともに、作業中に手が汚れるおそれがあった。
近年、シンクに収められるゴミ捕集かごは、高さが低い浅型化の傾向がある。そのため、柔軟な台所用水切り袋では、ゴミ捕集かごをシンクの排水口に収納する際、水切り袋の折り返し部分を排水口に収め難かった。
【０００４】
【発明が解決しようとする課題】
そこで、発明者は、鋭意研究の結果、使い捨てタイプの台所用水切り袋を自立可能で、不織布の底部を有する円筒形状の容器に変更すれば、装着時に開口側の端部を外折りする必要がなくなり、ゴミ捕集かごへの装着が容易になるとともに、それほど手を汚さずに装着できるようになることを知見し、この発明を完成させた。
すなわち、本発明は、上記問題点に鑑みなされたもので、ゴミ捕集かごへの装着が容易になるとともに、ほとんど手を汚さずに装着可能な台所用水切り袋を提供することを目的とする。
【０００５】
【課題を解決するための手段】
請求項１に記載された本発明は、筒形状を有する自立可能な容器本体と、該容器本体の下側開口部を塞ぐ不織布からなる底部とを備えた台所用使い捨て水切り容器である。
容器本体の材質としては、例えば板紙、厚紙、耐水紙、ラミネート紙、不織布、フィルムなどが挙げられる。少なくとも、水に濡れても水切り袋として使用できる程度の耐水性を有するものが好適である。さらに、焼却時に有害ガスの発生しないものが好ましい。
【０００６】
容器本体の平面視した形状は限定されない。例えば、円形、楕円形、三角形、四角形以上の多角形でもよい。また、他の任意の形状でもよい。
容器本体の高さは、例えば３０〜１５０ｍｍ、好ましくは３０〜１３０ｍｍである。３０ｍｍ未満では、水切り容器の内容積が小さすぎて取り替え頻度が多くなるという不都合が生じる。一方、１５０ｍｍを超えると、水切り容器の高さがごみ捕集かごより高くなり、排水が流れ込まなくなるという不都合が生じる。
なお、容器本体の底面積は、８０〜１８０ｃｍ２、好ましくは９０〜１２０ｃｍ２、容器本体の上部面積は、８０〜２００ｃｍ２、好ましくは９０〜１８０ｃｍ２程度である。
【０００７】
また、底部を構成する不織布に孔開け加工を施してもよい。孔の大きさは、直径１ｍｍ以上、好ましくは直径１．０〜３．０ｍｍであり、孔の数は１０ｃｍ２当たり、１０〜１０００個、好ましくは１０〜２５０個である。開口率は１〜５０％、好ましくは１０〜２０％である。孔の直径が１ｍｍ未満であると、水切り容器として使用する際に、目詰まりが起き易く、水切れが悪くなる。一方、孔の直径が３．０ｍｍを超えると、細かなごみの捕集性能が悪くなり水切り容器としての実用性に欠ける。
底部への孔開け方法としては、素材の種類によって、適宜選択すればよいが、例えば、ウォータージェットによるスパンレース法などを採用することができる。
【０００８】
さらに、容器本体および底部の素材として、焼却可能で生分解性を有しかつ水切り容器として使用できる程度の耐水性を有するものを採用することもできる。生分解性の素材は限定されない。例えば、アセテート、レーヨン、セルロース、デンプン、ポリアミノ酸、キトサン／セルロース、小麦グルテン、大豆カゼイン、海藻アガロース、生分解性脂肪族ポリエステル、ポリカクロラクトン（ＰＣＬ）、ＰＣＬ／デンプン、ＰＣＬ／ポリアミド、ポリグリコリド（ＰＧＡ）、ポリ乳酸（ＰＬＡ）などを採用することができる。
【０００９】
容器本体と底部との結合方法としては、例えば接着剤、粘着テープ、熱融着、ホットメルト接着、ミシンなどによるレーシングなどで結合し、またその他の公知の方法でも良い。
底部を構成する不織布としては、例えば熱可塑性樹脂から形成される複合繊維を含む乾式不織布、湿式不織布、スパンボンド不織布などが好適である。主体繊維としては、ポリプロピレン、ポリエステル、ポリアミド、アクリルなどの合成繊維が好適であるが、レーヨン、コットンなどの再生繊維や天然繊維でもよい。また、合成繊維や天然繊維の混合物であっても良い。バインダーとしては、ポリエチレン／ポリプロピレンやポリエチレン／ポリエステルなどの複合繊維（サイドバイサイド、シースコア）が好適であるが、ポリアクリル酸エステルやポリ酢酸ビニルなどの樹脂であってもよい。なお、ウォータージェットによるスパンレース法不織布の場合は、バインダーを省略することも可能である。
【００１０】
底部の不織布を構成する繊維の単糸繊維は、２０ｄｔｘ以下が好ましく、特に３〜１５ｄｔｘが好ましい。単糸繊維が２０ｄｔｘを超えると、繊維どうしの間隔が大きくなるなどし、微細懸濁物に対する捕集性が悪化する。
また、不織布の目付は、１５ｇ／ｍ２  以上がよく、特に１５〜２５ｇ／ｍ２  が好ましい。目付が１５ｇ／ｍ２  未満であると、強度が不足するばかりか、微細懸濁物に対する捕集性が悪化する。一方、２５ｇ／ｍ２  を超えると水切れ速度が遅くなり実用性に欠ける恐れがある。
このような不織布のうち、単糸繊維が１ｄｔｘ未満であるもの、あるいは、目付が２５ｇ／ｍ２  を超えるものは、通常、緻密で水切れ性の良くない不織布であるが、孔開け加工することにより、水切り性の良い素材シートとすることができる。
【００１１】
台所用使い捨て水切り容器を、例えば流し台の排水口内に装着される有底円筒形のゴミ捕集かご、または、三角コーナーなどに装着する際、従来の水切り袋タイプのように開口側の端部を外折りすることなく、単にゴミ捕集かごや三角コーナーの底板の上に立てるだけで装着が完了する。その結果、ゴミ捕集かごや三角コーナーなどへの装着が容易になり、ほとんど手を汚さずに装着することができる。
また、生ごみの捕集後は、ゴミ捕集かごなどから容器本体を摘んで取り外し、ごみと一緒に廃棄することができる。
【００１２】
請求項２に記載された本発明は、上記容器本体に、多数の水切り孔を形成した請求項１記載の台所用使い捨て水切り容器である。
容器本体の孔の大きさは直径０．５〜３．５ｍｍ、好ましくは１．０〜２．０ｍｍである。孔の数は１０ｃｍ２  当たり、１０〜２５００個、好ましくは３０〜５００個である。開口率は１〜５０％、好ましくは１０〜２０％である。
孔の直径が０．５ｍｍ未満であると、水切り袋として使用する際に目詰まりが起き易く、水切れが悪くなる。一方、３．５ｍｍを超えると細かなごみの捕集性能が悪くなり、水切り袋としての実用性に欠ける。
容器本体への孔開け方法としては、素材の種類によって、適宜選択すればよい。例えば、表面に突起を有するロールを用いた孔開け加工方法を採用することができる。
【００１３】
請求項２に記載の発明によれば、容器本体に多数の水切り孔が形成されているので、ごみの捕集時、容器本体の水切り性能が高まる。
【００１４】
請求項３に記載された本発明は、上記容器本体の上側周縁部に、つばを形成した請求項１または請求項２記載の台所用使い捨て水切り容器である。
つばの形状、突出幅などは限定されない。つばの形成方法も限定されない。
【００１５】
請求項３に記載の発明によれば、容器本体の上側周縁部につばを形成したので、容器本体の強度が高まる。
また、つば部をごみ捕集かごの上縁部に引っ掛けることにより、底部がごみ捕集かごの底板と接触しない。そのため、ごみが溜まっても底部がごみ捕集かごの底板に密着せず、不織布の水切り性が低下し難い。
【００１６】
請求項４に記載された本発明は、上記底部は、上記容器本体の下周縁から、該容器本体の上側開口部の方向に離反した位置に形成された請求項１〜請求項３のうち、何れか１項に記載の台所用使い捨て水切り容器である。
容器本体の下周縁からの底部までの高さは３〜３０ｍｍ、好ましくは５〜２０ｍｍである。３ｍｍ未満では、ごみが溜まった場合、底部がごみ捕集かごや三角コーナーなどの底板と接触し水切れ性が低下するという不都合が生じる。一方、３０ｍｍを超えると、水切り容器の内容量が小さくなるという不都合が生じる。
【００１７】
請求項４に記載の発明によれば、不織布製の底部を、容器本体の下周縁から容器本体の上側開口部の方向に離反した位置に形成したので、底部が例えばゴミ捕集かごや三角コーナーなどの底板と接触しない。そのため、ごみが溜まっても底部がゴミ捕集かごの底板に密着せず、不織布の水切り性が低下し難い。
【００１８】
請求項５に記載された本発明は、上記容器本体に、軸線方向に向かった折り目を形成し、折り畳み自在とした請求項１〜請求項４のうち、何れか１項に記載の台所用使い捨て水切り容器である。
容器本体の折り畳み後の形状は限定されない。折り目の入れ方、折り目の本数は限定されない。
【００１９】
請求項５に記載の発明によれば、容器本体に、軸線方向に向かった折り目が形成されているので、台所用使い捨て水切り容器が折り畳めるので、取り扱い性が高まり、輸送コストが低減する。しかも、保管スペースも狭くすることができる。
【００２０】
【発明の実施の形態】
以下、本発明の実施例を図面を参照して説明する。ここでは、流し台の排水口内に着脱自在に設けられた有底円筒形のゴミ捕集かごに装着される台所用使い捨て水切り容器について説明する。まず、図１および図２を参照して、第１の実施例を説明する。
図１において、１０は本発明の台所用使い捨て水切り容器（以下、水切り容器）で、この水切り容器１０は、筒形状を有する自立可能な容器本体１１と、容器本体１１の下側開口部を塞ぐ不織布からなる底部１２とを備えている。
【００２１】
容器本体１１は両端面が開口され、上側周縁部に向かって徐々に大径化した円筒体で、ラミネート加工されたコート紙からなる。容器本体１１の上側周縁部には、つば１１ａが一体形成されている。
容器本体１１には、軸線を中心とした対象位置に、軸線方向に延びた１対の折り目１１ｂが形成されている。容器本体１１は、両折り目１１ｂに沿って略扇形に折り畳み自在となっている（図２）。
底部１２は、単糸繊度が１０〜１５ｄｔｘのポリエステル系繊維を使用した乾式サーマルボンド不織布からなる。不織布の目付は２１ｇ／ｍ２  である。底部１２は、容器本体１１の下周縁から１５ｍｍだけ上側開口部方向に離反した位置に形成されている。容器本体１１と底部１２との結合には、ホットメルト接着が採用されている。
【００２２】
次に、水切り容器１０の使用方法を説明する。
まず、図２に示す折り畳まれた容器本体１１を広げ、上，下側の開口部を開口する。こうして、円筒形状の水切り容器１０が組み立てられる。
その後、図１に示すように、水切り容器１０を流し台の排水口内に組み込まれた有底円筒形のゴミ捕集かご１３に装着する。この場合、単に水切り容器１０をゴミ捕集かご１３の底板の上に立て置くだけで装着が完了する。その結果、従来の水切り袋タイプのように開口側の端部を外折りするなどの手間が不要となる。よって、水切り容器１０のゴミ捕集かご１３への装着が容易になり、ほとんど手を汚さずに装着することができる。
生ごみは、流し台の排水口から、直接、水切り容器１０内に流れ込み、不織布製の底部１２により漉し取られる。特に、浅型タイプの排水口に対して、装着性が優れている。
【００２３】
また、きちんとした円筒形状を保持できるので、水切り容器としての機能を十分に発揮することができる。
生ごみの捕集後は、ゴミ捕集かご１３などから容器本体１１を摘んで取り外し、ごみと一緒に廃棄することができる。
容器本体１１の上側周縁部につば１１ａを形成したので、容器本体１１の強度が高まる。
容器本体１１に、軸線方向に向かった折り目１１ｂを形成したので、台所用使い捨て水切り容器１０が折り畳める。これにより、水切り容器１０の取り扱い性が高まり、輸送コストが低減する。しかも、保管スペースも狭くなる。
【００２４】
次に、図３を参照して、本発明の第２の実施例に係る台所用使い捨て水切り容器を説明する。
図３に示すように、第２の実施例の台所用使い捨て水切り容器２０は、容器本体１１の上端部を除く全域に、直径２ｍｍ、１０ｃｍ２  当たり６４個の水切り孔２１を形成した例である。
容器本体１１に多数の水切り孔を形成したので、ごみの捕集時、容器本体１１の水切り性能を高めることができる。
その他の構成、作用、効果は、第１の実施例と同じであるので、説明を省略する。
【００２５】
次に、図４を参照して、本発明の第３の実施例に係る台所用使い捨て水切り容器を説明する。
図４に示すように、第３の実施例の台所用使い捨て水切り容器３０は、不織布製の底部１２を、容器本体１１の下周縁から容器本体１１の上側開口部の方向に離反した位置に形成した例である。
水切り容器３０をゴミ捕集かご１３に装着した際、台所用使い捨て水切り容器の底部１２が例えばゴミ捕集かご１３の底板と接触しない。そのため、ごみが溜まっても底部１２がこの底板に密着せず、不織布の水切り性が低下し難い。
その他の構成、作用、効果は、第２の実施例と同じであるので、説明を省略する。
【００２６】
以上の発明の実施の形態では、上記容器本体に、軸線方向に向かった折り目を形成し、折り畳み自在とした例について説明したが、本発明は、折り目を形成しない容器についても適用可能であることはいうまでもない。
【００２７】
【実施例】
ここで、実際に本発明の台所用使い捨て水切り容器（実施例１，２）と、従来の台所用使い捨て水切り袋（比較例１，２）とを使用して、流し台の排水口内に組み込まれたゴミ捕集かごに対する装着試験と、ごみ捕集試験との結果を報告する。試験条件は、以下の通りである。
【００２８】
実施例１
容器本体の素材にラミネート加工されたコート紙を用い、底部に単糸繊度が１０〜１５ｄｔｘのポリエステル系繊維を使用した目付２１ｇ／ｍ２  の乾式サーマルボンド不織布を用いて水切り袋を得た。得られた水切り袋の評価結果を表１に示す。
【００２９】
実施例２
容器本体の素材にラミネート加工されたコート紙を用い、さらに容器本体円筒面に直径２ｍｍ、１０ｃｍ２  当り６４個の孔を開け、底部に単糸繊度が１０〜１５ｄｔｘのポリエステル系繊維を使用した目付２１ｇ／ｍ２  の乾式サーマルボンド不織布を用いて水切り袋を得た。得られた水切り袋の評価結果を表１に示す。
【００３０】
比較例１
単糸繊度が１０〜１５ｄｔｘのポリエステル系繊維を使用した目付２１ｇ／ｍ２  の乾式サーマルボンド不織布を用いて矩形型の水切り袋を得た。得られた水切り袋の評価結果を表１に示す。
【００３１】
比較例２
単糸繊度が２０ｄｔｘの繊維を使用したストッキング素材を用いてチューブ状の水切り袋を得た。得られた水切り袋の評価結果を表１に示す。
【００３２】
なお、諸物性の評価方法は、次のとおりである。
（１）装着時間：
流し台の排水口内に装着されている有底円筒形のゴミ捕集かごに装着するときの装着時間を測定した。
（２）水切れ性能：
同一の液状模擬排水を流した場合の水切り性能を以下のように評価した。
○：水切れ性良好
△：普通
×：水切れ性が悪い
（３）ゴミ捕集性能：
同一の液状模擬排水を流した場合のゴミ捕集性能を以下のように評価した。
○：捕集性良好
△：普通
×：捕集性が悪い
【００３３】
【表１】
2005015179.tif 000003
【００３４】
表１から明らかなように、いずれの実施例とも水切り袋としての性能を損なうことなく簡単に装着できた。
【００３５】
【発明の効果】
本発明の台所用使い捨て水切り容器によれば、筒形状を有する自立可能な容器本体と、容器本体の下側開口部を塞ぐ不織布製の底部とを備えているので、例えばゴミ捕集かごや三角コーナーなどへの装着時、従来の袋タイプのように開口側の端部を外折りすることなく、単にゴミ捕集かごの底板の上に立てるだけで、着脱自在に装着することができる。これにより、ゴミ捕集かごなどへの装着が容易になり、その作業時にほとんど手を汚すことがない。
【００３６】
特に、請求項２に記載の発明によれば、容器本体に多数の水切り孔が形成されているので、ごみの捕集時、容器本体の水切り性能を高めることができる。
また、つば部をごみ捕集かごの上縁部に引っ掛けることにより、底部がごみ捕集かごの底板と接触しない。そのため、ごみが溜まっても底部がごみ捕集かごの底板に密着せず、不織布の水切り性が低下し難くなる。
【００３７】
請求項３に記載の発明によれば、容器本体の上側周縁部につばを形成したので、容器本体の強度を高めることができる。
【００３８】
請求項４に記載の発明によれば、不織布製の底部を、容器本体の下周縁から容器本体の上側開口部の方向に離反した位置に形成したので、ごみが溜まっても底部がゴミ捕集かごの底板に密着せず、不織布の水切り性が低下し難くなる。
【００３９】
請求項５に記載の発明によれば、容器本体に、軸線方向に向かった折り目を形成し、折り畳み自在としたので、台所用使い捨て水切り容器が折り畳むことができる。これにより、水切り容器の取り扱い性が高まり、輸送コストが低減する。しかも、保管スペースも小さくなる。
【図面の簡単な説明】
【図１】本発明の第１の実施例に係る台所用使い捨て水切り容器の斜視図である。
【図２】本発明の第１の実施例に係る台所用使い捨て水切り容器を折り畳んだ状態を示す正面図である。
【図３】本発明の第２の実施例に係る台所用使い捨て水切り容器の斜視図である。
【図４】本発明の第３の実施例に係る台所用使い捨て水切り容器の断面図である。
【符号の説明】
１０，２０，３０  台所用使い捨て水切り容器
１１  容器本体
１１ａ  つば
１１ｂ  折り目
１２  底部
２１  水切り孔
【図１】
2005015179.tif 000004
【図２】
2005015179.tif 000005
【図３】
2005015179.tif 000006
【図４】
2005015179.tif 000007